(57)【要約】【課題】  大便を収容して運搬が可能で大便とともに処分可能な大便収容用具を提供することである。【解決手段】  それぞれ対向する二対の側面４ａ，４ｂ，５ａ，５ｂと底面３を備えて上部が開口した箱状に形成され，内部に大便を収容可能な大便収容部２と、この大便収容部２の一の一対の側面４ａ，４ｂの上端縁部からそれぞれ延設され，洋式便器の便座に橋架して便座に固定可能な一対の固定部７ａ，７ｂとを有する大便収容用具１であって、一対の固定部７ａ，７ｂは、切込み９ａ，９ｂによって反転可能に形成され，粘着剤１０ａ，１０ｂが塗布される一対の貼着部８ａ，８ｂを備え、この一対の貼着部８ａ，８ｂが反転して便座に剥離可能に粘着するものである。【選択図】  図１
0003170414.tif 000002
【実用新案登録請求の範囲】
【請求項１】
それぞれ対向する二対の側面と底面を備えて上部が開口した箱状に形成され，内部に大便を収容可能な大便収容部と、この大便収容部の一の一対の側面の上端縁部からそれぞれ延設され，洋式便器の便座に橋架して前記便座に固定可能な一対の固定部とを有する大便収容用具であって、前記一対の固定部は、切込みによって反転可能に形成され，粘着剤が塗布される一対の貼着部を備え、この一対の貼着部が反転して前記便座に剥離可能に粘着することを特徴とする大便収容用具。
【請求項２】
前記二対の側面は，他の一対の側面に折曲をガイドする折り目を備えて，前記二対の側面は折曲して前記大便収容部を閉口するように形成され、前記一対の固定部は，前記折曲時には一の固定部と他の固定部が合致するように形成され，
前記一の固定部と前記他の固定部を接着する接着部を備えることを特徴とする請求項１に記載の大便収容用具。
【請求項３】
前記一対の固定部は、前記一の一対の側面の上端縁部から分離可能なミシン目を備えることを特徴とする請求項１又は請求項２に記載の大便収容用具。
【請求項４】
前記一対の固定部は、前記一の一対の側面の上端縁部に沿った一対の挿通孔を備え、この一対の挿通孔に挿通可能で把持部を備える支持部材を具備することを特徴とする請求項１乃至請求項３のいずれか１項に記載の大便収容用具。
【請求項５】
前記大便収容用具は、水溶性材料で形成されることを特徴とする請求項１乃至請求項４のいずれか１項に記載の大便収容用具。
【考案の詳細な説明】
【技術分野】
【０００１】
本考案は、洋式又は和式便器に装着して大便を収容する大便収容用具に関する。
【背景技術】
【０００２】
一般に、災害時等に設置される災害用トイレでは、排泄物の処理が遅れると、便器内に排泄物が溜まったり、便器が汚れたりして、不衛生になり、また、利用者は使用に際する不快感から精神的な負担が大きくなる。このような場合、排泄物でも特に大便が嵩張ったり便器を汚したりするので、まずは大便の処理を簡便に行うことが出来れば、使用環境を向上させることが可能となる。また、一方、健康診断や人間ドック等における検便等の目的で大便を採取する様々な用具が考えられており、これらの用具で採取された大便の処理方法についても検討されている。
【０００３】
例えば、特許文献１には、「大便保持容器」という名称で、検便時に大便を簡便に採取し、使用後には簡単且つ衛生的に処理可能な大便保持容器に関する発明が開示されている。
この特許文献１に開示された発明は、水溶性の紙又はフィルムで形成され大便を保持可能な受け部と、水溶性の紙又はフィルムで形成され便器に固定可能で粘着剤が塗布された固定部とを備えるものである。
使用に際しては、箱状の受け部に延設される二の固定部を便器の縁にそれぞれ架け渡して裏面側に塗布される粘着剤で粘着して固定する。そして、受け部内に排便して大便を受け部に保持し、検便用に大便を採取する。採取後には、受け部及び固定部は水溶性材料で形成されているので、便器から固定部を剥離して、大便が保持された受け部と固定部を、水洗式の場合は流し、汲み取り式の場合は落とすことによって簡単に処理することができる。
【０００４】
また、特許文献２には、「検便用大便の採取用具」という名称で、洋式便器に装着して検便用の大便を採取する検便用大便の採取用具に関する考案が開示されている。
この特許文献２に開示された考案は、水溶性材料で形成され洋式便器の便座の短径を横切り、便器内で適宜の弛みを形成する帯状の採取用具本体であって、採取用具本体の中央部には大便を採取する採取部と、採取用具本体の両端部には剥離自在の接着部を備えるものである。
したがって、採取用具本体の両端部の接着部を洋式便器の便座に接着すると、中央の採取部が便座から少し下がった位置に配置されるので、使用者は便座に腰かけて排便すると、採取部は大便を受け留めて採取部上に大便を保持する。また、採取部には、突条が一体化されて形成されているので、大便の移動を防止して安定して保持することができる。検便用に必要な大便を採取した後は、採取用具は水溶性材料で形成されているので、接着部を便座から剥離して、大便とともに便器に流して処理することができる。また、便座の輪郭形状に合致するように楕円形状に形成した枠体を具備することもでき、この場合、便座シートの役割を果たすこともでき、衛生的な仕様となる。
【０００５】
そして、特許文献３には、「大便採取用器具」という名称で、大便を全量採取可能な大便採取用器具に関する発明が開示されている。
この特許文献３に開示された発明は、洋式又は和式の便器に架け渡すことが可能なホルダーと、このホルダーの略中央部に着脱可能に設置される容器とを備え、ホルダーと容器は耐水性材料で形成されるものである。
そして、洋式便器に用いる場合には洋式便器と便座の間にホルダーを挟み込んで固定し、また、和式便器の場合には和式便器に架け渡して滑り止め加工を施すなどして固定し、ホルダーに容器を装着する。この容器は大人の一回分の大便を全量採取するのに十分な容積を有しているので、使用者は排便した全量の大便を容器に収容することができる。また、容器に嵌入する蓋を具備しているので、蓋を嵌めることによって、大便の漏れや臭いを防止して、衛生的に大便を運搬することが可能である。特に、容器や蓋は耐水性材料で形成されているので時間が経過しても大便が漏れ出したりする心配がない。また、ホルダーも耐水性材料で形成されているので、再利用が可能となり経済的に有用になっている。
【０００６】
【特許文献１】特開平９−５３１８号公報
【特許文献２】実開平５−４７８５８号公報
【特許文献３】特開平１１−１８３４７０号公報
【考案の概要】
【考案が解決しようとする課題】
【０００７】
しかしながら、上述の従来技術である特許文献１及び特許文献２に開示された発明及び考案は、いずれも大便保持容器や採取用具を水溶性材料で形成し、水洗又は汲み取り式トイレにおいて流したり、落としたりすることによって処分しているが、別の場所へ運搬して処分するという発想は開示されておらず、運搬には適した構造ではないという課題があった。
【０００８】
また、特許文献３に開示された発明は、容量が大きい容器を用いて大便全量を採取し、蓋を嵌入して運搬することが開示されているが、検査等の終了後には、容器及び蓋は耐水性材料で形成されているので大便と一緒に処分することが困難であるという課題があった。
【０００９】
本考案はかかる従来の事情に対処してなされたものであり、災害時や検便時に大便を収容して運搬が可能で大便とともに処分可能な大便収容用具を提供することを目的とする。
【課題を解決するための手段】
【００１０】
上記目的を達成するため、請求項１記載の考案である大便収容用具は、それぞれ対向する二対の側面と底面を備えて上部が開口した箱状に形成され，内部に大便を収容可能な大便収容部と、この大便収容部の一の一対の側面の上端縁部からそれぞれ延設され，洋式便器の便座に橋架して便座に固定可能な一対の固定部とを有する大便収容用具であって、一対の固定部は、切込みによって反転可能に形成され，粘着剤が塗布される一対の貼着部を備え、この一対の貼着部が反転して便座に剥離可能に粘着するものである。
このような構成の大便収容用具によれば、大便収容部は底面と二対の側面を備えた箱状体内部に大便を収容するように作用し、また、一対の固定部は洋式便器の便座に架橋して固定するように作用し、特に、一対の固定部は、粘着剤が塗布された一対の貼着部が反転して便座に粘着して固定されるように作用する。
【００１１】
また、請求項２記載の考案は、請求項１記載の大便収容用具において、二対の側面は，他の一対の側面に折曲をガイドする折り目を備えて，二対の側面は折曲して大便収容部を閉口するように形成され、一対の固定部は，折曲時には一の固定部と他の固定部が合致するように形成され，
一の固定部と他の固定部を接着する接着部を備えるものである。
このような構成の大便収容用具においては、請求項１に記載の考案の作用に加えて、二対の側面は折曲して大便収容部を閉口するように作用し、一対の固定部は閉口した大便収容部の上方で一の固定部と他の固定部が合致するように作用する。
【００１２】
そして、請求項３記載の考案は、請求項１又は請求項２に記載の大便収容用具において、一対の固定部は、一の一対の側面の上端縁部から分離可能なミシン目を備えるものである。
このような構成の大便収容用具においては、請求項１又は請求項２に記載の考案の作用に加えて、一対の固定部は、ミシン目において、一の一対の側面の上端縁部から分離されるように作用する。
【００１３】
そして、請求項４記載の考案は、請求項１乃至請求項３のいずれか１項に記載の大便収容用具において、一対の固定部は、一の一対の側面の上端縁部に沿った一対の挿通孔を備え、この一対の挿通孔に挿通可能で把持部を備える支持部材を具備するものである。
このような構成の大便収容用具においては、請求項１乃至請求項３のいずれか１項に記載の考案の作用に加えて、支持部材は一対の挿通孔に挿通されて、支持部材の把持部の把持によって大便収容用具を支持するように作用する。
【００１４】
最後に、請求項５記載の考案は、請求項１乃至請求項４のいずれか１項に記載の大便収容用具において、大便収容用具は、水溶性材料で形成されるものである。
このような構成の大便収容用具においては、請求項１乃至請求項４のいずれか１項に記載の考案の作用に加えて、大便収容用具は全ての構成要素が水に溶解するように作用する。
【考案の効果】
【００１５】
以上説明したように、本考案の請求項１に記載の大便収容用具においては、一対の固体部の貼着部を洋式便器の便座に貼着して固定すると、便器の略中央に大便収容部が配置されるので、使用者は、災害時等には排便して大便を大便収容部に収めることができる。また、検便時の場合でも必要量の大便を簡単に採取することができる。
【００１６】
また、本考案の請求項２に記載の大便収容用具においては、二対の側面の折曲によって大便が収容された大便収容部は簡単に閉口して外部から見えなくなり、また、一対の固定部は閉口した大便収容部の上方で互いに合致して上方に延び、運搬する際の持ち手になるので、使用者は閉口した大便収容用具を持ち手となる一対の固定部を持って容易に運搬することができる。また、接着部で大便収容器の開口を抑制することができ衛生的である。
【００１７】
そして、本考案の請求項３に記載の大便収容用具においては、ミシン目で一対の固定部と大便収容部を分離することによって、一対の固定部と大便が収容された大便収容部を分けて廃棄処分することができる。
【００１８】
そして、本考案の請求項４に記載の大便収容用具においては、支持部材を用いて使用者が両手で大便収容用具を支持することによって、便座を有しない和式便器においても使用可能な構成となっている。
【００１９】
最後に、本考案の請求項５に記載の大便収容用具においては、水溶性材料で形成しているので、水洗式便器に流したり、汲み取り式便器に落としたりして、大便と一緒に処分することができる。
【図面の簡単な説明】
【００２０】
【図１】本考案の実施の形態に係る大便収容用具の斜視図である。
【図２】本考案の実施の形態に係る大便収容用具の固定部の使用方法を示す概念図である。
【図３】本考案の実施の形態に係る大便収容用具を洋式便器に設置した場合の概念図である。
【図４】（ａ）は本考案の実施の形態に係る大便収容用具を閉じた状態の側面図であり、（ｂ）は同じく大便収容用具を閉じた状態の正面図である。
【図５】（ａ）は本考案の第２の実施の形態に係る大便収容用具の概念図であり、（ｂ）は同じく大便収容用具の支持部材の概念図である。
【考案を実施するための形態】
【００２１】
以下に、本考案に係る大便収容用具の実施の形態を図１乃至図４を参照しながら説明する（請求項１乃至請求項３及び請求項５に対応）。
図１は、本考案の実施の形態に係る大便収容用具の斜視図である。
図１において、大便収容用具１は、内部に大便を収容可能な箱状の大便収容部２と、この大便収容部２から延設され、洋式便器の便座に固定可能な一対の固定部７ａ，７ｂとを備えている。また、大便収容部２は、底面３と、この底面３から立設されそれぞれ対向する一の一対の側面４ａ，４ｂと、他の一対の側面５ａ，５ｂから構成され、これらの二対の側面４ａ，４ｂ，５ａ，５ｂには後述する折り目６ａ，６ｂがそれぞれ設けられている。そして、一の一対の側面４ａ，４ｂの上端縁部から延設される一対の固定部７ａ，７ｂは、それぞれ切込み９ａ，９ｂと接続部１０ａ，１０ｂによって図中の矢印方向にそれぞれ反転可能に形成される貼着部８ａ，８ｂを備えており、この貼着部８ａ，８ｂの表面には粘着剤１１ａ，１１ｂが塗布されている。
そして、一の一対の側４ａ，４ｂの上端縁部からの延設部分にはミシン目１２ａ，１２ｂがそれぞれ形成されており、ミシン目１２ａ，１２ｂに沿って切断することで、一対の固定部７ａ，７ｂは大便収容部２から容易に切り離すことができるようになっている。そして、一の固定部７ａの側面４ａ側には接着剤１３が塗布されており、後述するが、この接着剤１３は、一の固定部７ａと他の固定部７ｂを接着するためのものである。
なお、大便収容用具１は大便の重量に耐える強度を備えた水溶性材料で形成されることが好ましく、水溶性材料で形成した場合は、使用者は排便後に大便と一緒に水洗式トイレや汲み取り式トイレに流したり落としたりして処分することができる。但し、粘着剤１１ａ，１１ｂや接着剤１３に非水溶性材料を用いてもよく、この場合は、ミシン目１２ａ，１２ｂによって一対の固定部７ａ，７ｂを大便収容部２から切り離して、大便が収容される大便収容部２は大便とともに処分し、非水溶性の粘着剤１１ａ，１１ｂや接着剤１３を含む一対の固定部７ａ，７ｂは一般の焼却ごみとして処分することができる。なお、粘着剤は、便座に対して剥離自在であればその種類は特に限定されない。また、粘着剤及び接着剤の表面には、他との粘接着を防止するために保護紙を設けるようにしてもよい。また、本実施の形態においては、接着剤１３はミシン目１２ａよりも貼着部８ａ側に設けられているが、これをミシン目１２ａよりも側面４ａ側に設けることで、一の固定部７ａと他の固定部７ｂを接着したままミシン目１２ａ，１２ｂに沿って切断することで大便収容部２の上部を閉口させたまま衛生的に廃棄処理することが可能である。さらに、接着剤１３はもちろん他の固定部７ｂ側に設けてもよい。
【００２２】
次に、図２は、本考案の実施の形態に係る大便収容用具の固定部の使用方法を示す概念図である。
図２において、大便収容用具１は、一対の固定部７ａ，７ｂの一対の貼着部８ａ，８ｂを反転した状態を示しており、一対の貼着部８ａ，８ｂは、前述の接続部を軸にしてそれぞれ反転して、一対の固定部７ａ，７ｂに一対の孔部１４ａ，１４ｂを形成している。一対の貼着部８ａ，８ｂの表面側には粘着剤１１ａ，１１ｂが塗布されているので、反転すると、粘着剤１１ａ，１１ｂは一部が一対の固定部７ａ，７ｂと貼着し、残部が便座に貼着して、大便収容用具１を便座に固定する仕組みになっている。なお、一対の貼着部８ａ，８ｂの粘着剤１１ａ，１１ｂの塗布位置は特に限定されるものではなく、全面に設けてもよいし、便座に貼着する部分のみ設けるようにしてもよいが、一対の固定部７ａ，７ｂの少なくとも一部及び便座の両方に跨るように塗布位置を形成させることで、大便収容用具１は便座により強固に固定することが可能である。
また、一対の貼着部８ａ，８ｂの形状は特に限定されるものでなく、反転可能で、便座への貼着において大便収容部２及び一対の固定部７ａ，７ｂを支持可能であればどのような形状であっても構わない。
【００２３】
続いて、本実施の形態に係る大便収容用具の使用方法について図３及び図４を参照しながら説明する。
図３は、本考案の実施の形態に係る大便収容用具を洋式便器に設置した場合の概念図である。
図３において、大便収容用具１は、一対の固定部７ａ，７ｂが水洗式の洋式便器１５の便座１６に架橋され、一対の貼着部８ａ，８ｂが反転して便座１６に貼着されて固定されている。大便収容部２は、便座１６の孔部分の中央よりやや後方に配置されているが、大便収容部２は使用者の排便位置に合わせて一対の貼着部８ａ，８ｂを移動することによって自由に設定することができる。大便収容用具１の便座１６への固定が終わったら、使用者は便座１６に腰かけて排便する。そうすると、大便は大便収容部２に収容されて保持されるので、検便等で採取する場合は必要量を採取し、採取後は一対の貼着部８ａ，８ｂを便座から剥がして、大便収容用具１を大便と一緒に便器内に落として流すと簡単に処分することができる。但し、粘着剤１１ａ，１１ｂや接着剤１３が非水溶性材料で形成される場合は、ミシン目１２ａ，１２ｂを使って一対の固定部７ａ，７ｂと大便収容部２を切り離し、大便収容部２のみを流して処分し、一対の固定部７ａ，７ｂは一般のごみとして処分することもできる。
また、大便収容用具１は、大便を収容した状態で運搬することが可能である。例えば、災害用トイレで排泄物が溜まってトイレ内に排泄出来ない場合や、断水等で家庭用トイレが使用できない場合は、洋式便器１５の便座１６に大便収容用具１を固定した状態で排便した後、一対の貼着部８ａ，８ｂを便座から剥がして、一の固定部７ａと他の固定部７ｂを合致させると、二対の側面が折曲して、大便収容部２は閉口し、一対の孔部１４ａ，１４ｂに接する一対の固定部７ａ，７ｂが持ち手となり、大便収容用具１を把持して運搬することが可能となる。
【００２４】
次に、本考案に係る大便収容用具を運搬する方法について図４を参照しながら説明する。
図４（ａ）は、本考案の実施の形態に係る大便収容用具を閉じた状態の側面図であり、（ｂ）は同じく大便収容用具を閉じた状態の正面図である。
図４（ａ）において、大便収容用具１は、一対の側面４ａ，４ｂを折曲して、大便収容部の開口部を閉じた状態を示している。このとき、一対の固定部７ａ，７ｂでは、一の固定部７ａと他の固定部７ｂが合わさり、接着剤１３によって接着されている。この接着剤１３を設けることによって、一の固定部７ａと他の固定部７ｂはずれないように固定され、大便収容部の閉口状態を保持することができる。また、側面５ａに設けられる折り目６ａは、一対の側面４ａ，４ｂの折曲にともなって、側面５ａを内側に折り曲げるようにガイドし、図示していないが、側面５に対向する側面も同様に設けられる折り目にしたがって内側に折り曲がって、一の一対の側面４ａ，４ｂとともに折曲によって大便収容部の閉口状態を保持する。
また、図４（ｂ）において、大便収容用具１を閉じた状態の正面側では、側面４ａの上方に固定部７ａが配置され、固定部７ａには孔部１４ａが形成されている。この孔部１４ａは、前述の一対の貼着部の反転によって形成されたものである。一対の貼着部は、便座から剥離されると、便座に貼着していた部分が一対の固定部の端部からそれぞれはみ出しているが、このはみ出した部分をさらに反転させて一対の固定部の端部の裏側にそれぞれ貼着すると、図示するように固定部６ａの上端部は孔部１４ａとともに把持部１７を形成する。
なお、図示していないが、固定部７ａに対向する固定部７ｂにおいても同様に貼着部によって把持部が形成される。したがって、大便収容用具１は、これらの二の把持部を一緒に把持することによって容易な運搬が可能となる。また、把持部１７に貼着される貼着部８ａは、把持部１７の強度を向上させる効果もある。
【００２５】
このように形成された本実施の形態においては、洋式便器に固定して排泄後の大便を収容可能であり、検便等で採取が必要な場合の採取が極めて容易となる。そして、処分に際しては、水溶性材料で形成されているので、粘着による固定を解除して、大便とともに大便収容用具を水洗式又は汲み取り式トイレに流したり落としたりするだけで簡便且つ衛生的に処分することが可能である。
また、側面を折曲して大便収容部を閉口して、運搬することも可能であり、緊急時にトイレ以外の処分場所に運搬する必要がある場合には、他人の視線を気にすることなく運搬することができる。
【００２６】
次に、本考案に係る大便収容用具の第２の実施の形態を、図５を参照しながら説明する（特に、請求項４に対応）。
図５（ａ）は、本考案の第２の実施の形態に係る大便収容用具の概念図であり、（ｂ）は同じく大便収容用具の支持部材の概念図である。
図５（ａ）において、大便収容用具２１は、底面２３と折り目２６ａ，２６ｂが形成された二対の側面２４ａ，２４ｂ，２５ａ，２５ｂからなる箱状の大便収容部２２と、一の一対の側面２４ａ，２４ｂの上端縁部から延設される一対の固定部２７ａ，２７ｂと、この一対の固定部２７ａ，２７ｂに設けられる一対の貼着部２８ａ，２８ｂを備えている。そして、一の一対の側面２４ａ，２４ｂと一対の固定部２７ａ，２７ｂの延設部分の下方側には、一対の挿通孔２９ａ，２９ｂが設置されている。
また、図５（ｂ）において、支持部材３０は、対で構成され、それぞれ把持部３１ａ，３１ｂと挿入部３２ａ，３２ｂを備えている。この支持部材３０において、挿入部３２ａ，３２ｂは、図５（ａ）の大便収容用具２１の一対の挿通孔２９ａ，２９ｂに図中の矢印方向に挿通可能であり、挿入部３２ａ，３２ｂを一対の挿通孔２９ａ，２９ｂに挿通して、把持部３１ａ，３１ｂを把持すると、使用者が大便収容用具２１を支持することが可能となる。したがって、和式トイレにおいては、大便収容用具２１は一対の固定部２７ａ，２７ｂを用いた固定が困難であるので、支持部材３０を大便収容用具２１に設置される一対の挿通孔２９ａ，２９ｂに挿通させて把持部３１ａ，３１ｂを両手でそれぞれ把持することによって使用者自身が大便収容用具２１を支持することができ、使用者は排便して大便を大便収容部２２に収容することができる。すなわち、洋式トイレと和式トイレの両用とすることが可能である。
また、図示していないが、一対の貼着部２８ａ，２８ｂには粘着剤が塗布され、一の固定部２７ａには接着剤が設けられ、また、一対の固定部２７ａ，２７ｂの延設部分にはミシン目が設置されており、先に説明した大便収容用具と同様に、運搬したり、ミシン目で切り離して大便収容部２２と一対の固定部２７ａ，２７ｂを分別して処分したりすることが可能である。
なお、支持部材３０の把持部３１ａ，３１ｂの形状は、図示するようなＵ字形に限定されるものではなく、人が容易に把持可能な形状であればよい。また、支持部材３０を形成する材料についても特に限定されるものではなく、例えばプラスチック等の材料で形成すると再利用が可能となり、また、紙等で形成して使い捨てにすると衛生面で優れたものとなる。図５（ｂ）では支持部材３０及び把持部３１ａ，３１ｂは一対に構成されているが、これらを一体に構成してもよい。すなわち、一つの把持部から二股に分かれて挿入部３２ａ，３２ｂを備えるものとしてもよい。また、挿入部３２ａ，３２ｂが簡単に挿通孔２９ａ，２９ｂから抜け落ちないように、挿入部３２ａ，３２ｂの表面に凹凸、溝、筋模様のいずれかあるいはこれらを組合せて設けることで摩擦力を発揮させるようにしてもよい。
あるいは、支持部材３０は、一対の挿通孔２９ａ，２９ｂに挿入後に把持部３１ａ，３１ｂが設けられていない先端側が挿通孔２９ａ，２９ｂから出るような長さとして、その先端を折り曲げることによれば、一旦挿入した支持部材３０が抜け落ちることを防止できる。但し、折り曲げられるような材料で支持部材３０全体を構成すると柔らか過ぎて大便収容部２２を支持できない可能性もあるので、把持部３１ａ，３１ｂが設けられていない先端のみを折り曲げられる材料で構成することが望ましい。
さらに、本実施の形態を和式トイレ専用とする場合には、一対の固定部２７ａ，２７ｂに設けられる一対の貼着部２８ａ，２８ｂを備えることなく、従って粘着剤の塗布もなく、その部分を単なる孔部として形成してもよい。
【００２７】
このように構成された本実施の形態では、大便収容用具に挿通孔を設け、この挿通孔に挿通可能で人が把持可能な支持部材を具備させることによって、固定が困難な和式トイレにも適用可能な大便収容用具を提供することでき、便器の種類に関係なく、広く使用することが可能となる。
【産業上の利用可能性】
【００２８】
以上説明したように、請求項１乃至請求項５に記載された本考案は、大便を収容して運搬が可能で且つ処分が簡単な大便収容用具を提供可能であり、医療施設や一般家庭や災害時の仮設トイレなどにおいて利用可能である。
【符号の説明】
【００２９】
１…大便収容用具  ２…大便収容部  ３…底面  ４ａ，４ｂ…側面  ５ａ，５ｂ…側面  ６ａ，６ｂ…折り目  ７ａ，７ｂ…固定部  ８ａ，８ｂ…貼着部  ９ａ，９ｂ…切込み  １０ａ，１０ｂ…接続部  １１ａ，１１ｂ…粘着剤  １２ａ，１２ｂ…ミシン目  １３…接着剤  １４ａ，１４ｂ…孔部  １５…洋式便器  １６…便座  １７…把持部  ２１…大便収容用具  ２２…大便収容部  ２３…底面  ２４ａ，２４ｂ…側面  ２５ａ，２５ｂ…側面  ２６ａ，２６ｂ…折り目  ２７ａ，２７ｂ…固定部  ２８ａ，２８ｂ…貼着部  ２９ａ，２９ｂ…挿通孔  ３０…支持部材  ３１ａ，３１ｂ…把持部  ３２ａ，３２ｂ…挿入部
【図１】
0003170414.tif 000003
【図２】
0003170414.tif 000004
【図３】
0003170414.tif 000005
【図４】
0003170414.tif 000006
【図５】
0003170414.tif 000007